(57)【要約】【課題】組み立て時において、レンズの向きが判別でき、レンズの誤挿入を容易に確認できる作業効率のよいレンズ鏡筒を提供する。【解決手段】レンズ室１に光軸Ｏを中心とした円周上にレンズ面Ｌ１ｂとの当接部１ｅを設け、また、押さえ環２に光軸Ｏを中心とし、当接部１ｅの径と異なる円周上にレンズ面Ｌ１ａとの当接部２ｂを設け、これらの当接部の間に配置されるレンズＬ１の曲率が異なることを利用して、押さえ環２をレンズ室１に異なる収容位置に収容した。【選択図】図１
2006227471.tif 000002
【特許請求の範囲】
【請求項１】
第１のレンズ面と、前記第１のレンズ面と曲率が異なる第２のレンズ面を有するレンズと、
前記レンズを前記第１のレンズ面をその内側に向け収容し、前記第１のレンズ面と当接する第１の当接部を有するレンズ室と、
前記第２のレンズ面と当接する第２の当接部により、前記レンズ室に前記レンズを固定し、前記レンズ室に対して光軸に沿った方向の正規収容位置に規制される押さえ部材とを備え、
前記レンズを前記第２のレンズ面を前記レンズ室の内側に向け収容する誤収容状態において、前記押さえ部材は、前記第１のレンズ面又は前記レンズ室に当接することにより、前記レンズ室に対して前記光軸に沿った方向の誤収容位置に規制されること、
押さえ部材は、前記正規収容位置と前記誤収容位置とで、前記光軸に沿った方向の位置が異なること、
を特徴とするレンズ鏡筒。
【請求項２】
請求項１に記載のレンズ鏡筒において、
前記第１の当接部と前記光軸との距離と、前記第２の当接部と前記光軸との距離は、異なること、
前記誤収容状態において、前記第２の当接部が前記第１のレンズ面と当接し、前記第１の当接部が前記第２のレンズ面と当接することにより、前記押さえ部材は、前記レンズ室に対して前記光軸に沿った方向の前記誤収容位置に規制されること、
を特徴とするレンズ鏡筒。
【請求項３】
請求項１に記載のレンズ鏡筒において、
前記第１の当接部と前記光軸との距離と、前記第２の当接部と前記光軸との距離が異なること、
前記押さえ部材は、前記誤収容状態を判定する判定当接部を有し、
前記誤収容状態において、前記判定当接部が前記レンズ室と当接することにより、前記押さえ部材は、前記レンズ室に対して前記光軸に沿った方向の前記誤収容位置に規制されること、
前記誤収容位置は、前記第１の当接部又は前記第２の当接部と、前記レンズとが隙間を有する位置であること、
を特徴とするレンズ鏡筒。
【請求項４】
請求項１に記載のレンズ鏡筒において、
前記レンズ室は、前記誤収容状態を判定する判定当接部を有し、
前記誤収容状態において、前記第２の当接部が前記第１のレンズ面と当接し、前記判定当接部が前記第２のレンズ面と当接することにより、前記押さえ部材は、前記レンズ室に対して前記光軸に沿った方向の前記誤収容位置に規制されること、
を特徴とするレンズ鏡筒。
【請求項５】
請求項１に記載のレンズ鏡筒において、
前記押さえ部材は、前記誤収容状態を判定する判定当接部を有し、
前記誤収容状態において、前記判定当接部が前記第１のレンズ面と当接し、前記第１の当接部が前記第２のレンズ面と当接することにより、前記押さえ部材は、前記レンズ室に対して前記光軸に沿った方向の前記誤収容位置に規制されること、
を特徴とするレンズ鏡筒。
【請求項６】
請求項１から請求項５までのいずれか１項に記載のレンズ鏡筒において、
前記レンズ室及び前記押さえ部材は、前記押さえ部材の前記レンズ室に対する前記光軸に沿った方向の前記正規収容位置、又は、前記誤収容位置を示す判定指示部を有すること、
を特徴とするレンズ鏡筒。
【請求項７】
請求項６に記載のレンズ鏡筒において、
前記判定指示部は、前記光軸に対して垂直な面であること、
を特徴とするレンズ鏡筒。
【請求項８】
請求項１から請求項７までのいずれか１項に記載のレンズ鏡筒において、
前記レンズ室と前記押さえ部材は、ネジ結合していること、
を特徴とするレンズ鏡筒。
【発明の詳細な説明】
【技術分野】
【０００１】
本発明は、光学機器のレンズ鏡筒に関するものである。
【背景技術】
【０００２】
従来から、双眼鏡、顕微鏡、望遠鏡、カメラ等の光学機器は、その光学系を構成する複数のレンズを収容したレンズ鏡筒を有し、また、レンズの固定には、高い精度が要求されてきた。レンズのレンズ鏡筒への組み込みは、レンズの光軸の傾き、各レンズ間の間隔等を所望の範囲に納めるように行われる。
光学系を形成するレンズは、光の入射面と、出射面とを有している。そして、設計工程、製造工程等において、レンズを光学機器等のレンズ鏡筒に組み込むときに、この２つの面を裏表逆に組み込んでしまう可能性がある。その場合、所望の性能が得られないため、組み直しを必要とするが、レンズが複数あるので、どのレンズを裏表逆に組み込んだのか特定が難しいという問題があった。
また、設計工程、製造工程等において、光学系の所望の性能が得られない場合は、その原因の究明、検討をする必要がある。この場合、レンズを裏表逆に組み込んだことが原因であっても、例えば、レンズを固定する部品の加工精度等、他の要因も疑わねばならず、原因の特定に時間を要し、作業効率の悪化につながる可能性があった。
【０００３】
一方、特許文献１には、レンズ鏡筒のレンズ保持部にレンズを嵌合させ、樹脂から形成されるレンズ環と弾性部を用いてレンズを保持するとともに、組み込んだレンズを容易に取り外すことが可能なレンズ保持装置が開示されている。しかし、このレンズ保持装置は、レンズの取り外しが容易にできても、レンズを裏表逆に組み込んだか否か特定できず、前述した問題は、このレンズ保持装置によっては解決されない。
【特許文献１】特開２０００−１９３７１号公報
【発明の開示】
【発明が解決しようとする課題】
【０００４】
本発明の課題は、組み立て時において、レンズの向きが判別でき、レンズの誤挿入を容易に確認できる作業効率のよいレンズ鏡筒を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、第１のレンズ面（Ｌ１ｂ）と、前記第１のレンズ面（Ｌ１ｂ）と曲率が異なる第２のレンズ面（Ｌ１ａ）を有するレンズ（Ｌ１）と、前記レンズ（Ｌ１）を前記第１のレンズ面（Ｌ１ｂ）をその内側に向け収容し、前記第１のレンズ面（Ｌ１ｂ）と当接する第１の当接部（１ｅ）を有するレンズ室（１）と、前記第２のレンズ面（Ｌ１ａ）と当接する第２の当接部（２ｂ）により、前記レンズ室（１）に前記レンズ（Ｌ１）を固定し、前記レンズ室（１）に対して光軸（Ｏ）に沿った方向の正規収容位置に規制される押さえ部材（２）とを備え、前記レンズ（Ｌ１）を前記第２のレンズ面（Ｌ１ａ）を前記レンズ室（１）の内側に向け収容する誤収容状態において、前記押さえ部材（２）は、前記第１のレンズ面（Ｌ１ｂ）又は前記レンズ室（１）に当接することにより、前記レンズ室（１）に対して前記光軸（Ｏ）に沿った方向の誤収容位置に規制されること、前記正規収容位置と前記誤収容位置とでは、前記光軸（Ｏ）に沿った方向の位置が異なること、を特徴とするレンズ鏡筒である。
【０００６】
請求項２の発明は、請求項１に記載のレンズ鏡筒において、前記第１の当接部（１ｅ）と前記光軸（Ｏ）との距離と、前記第２の当接部（２ｂ）と前記光軸（Ｏ）との距離は、異なること、前記誤収容状態において、前記第２の当接部（２ｂ）が前記第１のレンズ面（Ｌ１ｂ）と当接し、前記第１の当接部（１ｅ）が前記第２のレンズ面（Ｌ１ａ）と当接することにより、前記押さえ部材（２）は、前記レンズ室（１）に対して前記光軸（Ｏ）に沿った方向の前記誤収容位置に規制されること、を特徴とするレンズ鏡筒である。
請求項３の発明は、請求項１に記載のレンズ鏡筒において、前記第１の当接部（１ｅ）と前記光軸（Ｏ）との距離と、前記第２の当接部（２ｂ）と前記光軸（Ｏ）との距離が異なること、前記押さえ部材（２）は、前記誤収容状態を判定する判定当接部（２ｅ）を有し、前記誤収容状態において、前記判定当接部が前記レンズ室（１）と当接することにより、前記押さえ部材（２）は、前記レンズ室（１）に対して前記光軸（Ｏ）に沿った方向の前記誤収容位置に規制されること、前記誤収容位置は、前記第１の当接部（１ｅ）又は前記第２の当接部（２ｂ）と、前記レンズ（Ｌ１）とが隙間を有する位置であること、を特徴とするレンズ鏡筒である。
請求項４の発明は、請求項１に記載のレンズ鏡筒において、前記レンズ室（１）は、前記誤収容状態を判定する判定当接部（１０２）を有し、前記誤収容状態において、前記第２の当接部（２ｂ）が前記第１のレンズ面（Ｌ１ａ）と当接し、前記判定当接部（１０２）が前記第２のレンズ面（Ｌ１ｂ）と当接することにより、前記押さえ部材（２）は、前記レンズ室（１）に対して前記光軸（Ｏ）に沿った方向の前記誤収容位置に規制されること、を特徴とするレンズ鏡筒である。
請求項５の発明は、請求項１に記載のレンズ鏡筒において、前記押さえ部材（２）は、前記誤収容状態を判定する判定当接部（１０１）を有し、前記誤収容状態において、前記判定当接部（１０１）が前記第１のレンズ面（Ｌ１ｂ）と当接し、前記第１の当接部（１ｅ）が前記第２のレンズ面（Ｌ１ａ）と当接することにより、前記押さえ部材（２）は、前記レンズ室（１）に対して前記光軸（Ｏ）に沿った方向の前記誤収容位置に規制されること、を特徴とするレンズ鏡筒である。
請求項６の発明は、請求項１から請求項５までのいずれか１項に記載のレンズ鏡筒において、前記レンズ室（１）及び前記押さえ部材（２）は、前記押さえ部材（２）の前記レンズ室（１）に対する前記光軸（Ｏ）に沿った方向の前記正規収容位置、又は、前記誤収容位置を示す判定指示部（１ｆ，２ｃ）を有すること、を特徴とするレンズ鏡筒である。
請求項７の発明は、請求項６に記載のレンズ鏡筒において、前記判定指示部（１ｆ，２ｃ）は、前記光軸（Ｏ）に対して垂直な面であること、を特徴とするレンズ鏡筒である。
請求項８の発明は、請求項１から請求項７までのいずれか１項に記載のレンズ鏡筒において、前記レンズ室（１）と前記押さえ部材（２）は、ネジ結合していること、を特徴とするレンズ鏡筒である。
【発明の効果】
【０００７】
本発明によれば、以下の効果を奏することができる。
（１）本発明のレンズ鏡筒は、曲率が異なる第１及び第２のレンズ面を有するレンズを、レンズ室が第１のレンズ面をその内側に向け収容し、第１の当接部が第１のレンズ面と当接している。また、押さえ部材は、第２の当接部が第２のレンズ面と当接し、レンズをレンズ室に固定し、レンズ室に対して光軸に沿った方向の正規収容位置に規制されている。一方、第２のレンズ面をレンズ室の内側に向け収容する誤収容状態において、押さえ部材は、第１のレンズ面又はレンズ室に当接することにより、レンズ室に対して光軸に沿った方向の誤収容位置に規制される。そして、押さえ部材は、正規収容位置と誤収容位置とでは、光軸に沿った方向の位置が異なっている。そのため、押さえ部材の収容位置を確認することにより、レンズの裏表を確認することができる。
【０００８】
（２）本発明のレンズ鏡筒は、第１の当接部と光軸との距離と、第２の当接部と光軸との距離が異なっている。このため、誤収容状態において、第２の当接部が第１のレンズ面と当接し、第１の当接部が第２のレンズ面と当接することにより、押さえ部材は、レンズ室に対して光軸に沿った方向の誤収容位置に規制される。押さえ部材は、正規収容位置と誤収容位置とでは、光軸に沿った方向の位置が異なっているので、収容位置を確認することにより、レンズの裏表を確認することができる。
（３）本発明のレンズ鏡筒は、第１の当接部と光軸との距離と、第２の当接部と光軸との距離が異なり、また、押さえ部材が判定当接部を有している。誤収容状態において、押さえ部材は、この判定当接部がレンズ室と当接することにより、レンズ室に対して光軸に沿った方向の誤収容位置に規制される。この誤収容位置は、第１の当接部又は第２の当接部と、レンズとが隙間を有する位置であり、レンズは、レンズ室に固定されず、がたつきを有する。このため、レンズ収容時に、レンズの向きを容易に判断することができる。
（４）本発明のレンズ鏡筒は、レンズ室が、誤収容状態を判定する判定当接部を有している。そして、誤収容状態において、第２の当接部が第１のレンズ面と当接し、判定当接部が第２のレンズ面と当接することにより、押さえ部材は、レンズ室に対して光軸に沿った方向の誤収容位置に規制される。押さえ部材は、正規収容位置と誤収容位置とでは、光軸に沿った方向の位置が異なっているので、収容位置を確認することにより、レンズの裏表を確認することができる。
（５）本発明のレンズ鏡筒は、押さえ部材が、誤収容状態を判定する判定当接部を有している。そして、誤収容状態において、判定当接部が第１のレンズ面と当接し、第１の当接部が第２のレンズ面と当接することにより、押さえ部材は、レンズ室に対して光軸に沿った方向の誤収容位置に規制される。押さえ部材は、正規収容位置と誤収容位置とでは、光軸に沿った方向の位置が異なっているので、収容位置を確認することにより、レンズの裏表を確認することができる。
（６）本発明のレンズ鏡筒は、レンズ室及び押さえ部材が、押さえ部材のレンズ室に対する光軸に沿った方向の正規収容位置、又は、誤収容位置を示す判定指示部を有している。これにより、押さえ部材のレンズ室に対する位置を容易に確認することができ、レンズの向きを判別することができる。
（７）本発明のレンズ鏡筒は、判定指示部が光軸に対して垂直な面である。これにより、判定指示部の光軸に沿った方向における位置を、容易に確認することができる。
（８）本発明のレンズ鏡筒は、レンズ室と押さえ部がネジ結合している。これにより、押さえ部を回転させて、光軸に沿った方向に移動することができ、また、レンズの固定をより確実に行うことができる。
【発明を実施するための最良の形態】
【０００９】
本発明は、組み立て時において、レンズの向きが判別でき、レンズの誤挿入を容易に確認できる作業効率のよいレンズ鏡筒を提供するという目的を、レンズ室に光軸を中心とした円周上にレンズ面との当接部を設け、また、押さえ環に光軸を中心とし、前記当接部の径と異なる円周上にレンズ面との当接部を設け、これらの当接部の間に配置されるレンズの曲率が異なることを利用して、押さえ環をレンズ室に異なる収容位置に収容することによって実現した。
【実施例１】
【００１０】
以下、図面等を参照して、本発明の実施例をあげて、さらに詳しく説明する。
図１は、本発明によるレンズ鏡筒の実施例１の光軸断面を示す図であって、レンズが正しい方向に組み込まれた正規収容状態を示す図である。
図１に示すように、実施例１のレンズ鏡筒は、レンズ室１と、光軸Ｏ上にレンズＬ１，Ｌ２と、押さえ環２と、押さえ環３とを備えている。なお、図１に示すように光軸左側の構造と右側の構造とは、同様な構造であるため、左側の構造についてのみ説明し、右側の構造については説明を省略する。
【００１１】
レンズＬ１は、曲率の異なるレンズ面Ｌ１ａ，Ｌ１ｂを有する凸レンズである。レンズ面Ｌ１ａ（第２のレンズ面）の曲率は、レンズ面Ｌ１ｂ（第１のレンズ面）の曲率よりも大きく設定されている。レンズＬ１は、後述するレンズ室１に正しい方向に、つまり、レンズ面Ｌ１ｂをレンズ室１の内側に向けた状態で収容されている。
【００１２】
レンズ室１は、円筒状をしており、レンズＬ１，Ｌ２を収納している。
レンズ室１は、後述する押さえ環２とネジ結合するための、ネジ部１ａを有している。ネジ部１ａは、レンズ室１の内周の、光軸方向外側（図１に示す矢印Ａ側）の先端の範囲全周に設けられた雌ネジ部である。
レンズ室１は、レンズＬ１を収容するレンズ収容部１ｂを有している。レンズ収容部１ｂは、内壁部１ｃと、レンズ室平面部１ｄと、当接部１ｅとが形成されている。内壁部１ｃは、レンズＬ１を収容するため、レンズＬ１の外径よりも大きく径を設定された、ネジ部１ａよりも光軸方向内側（図１に示す矢印Ｂ側）のレンズ室１の内周部分である。レンズ室平面部１ｄは、内壁部１ｃの光軸方向内側の端部から径方向内側に、光軸Ｏに対して垂直に設けられた円環状をした平面部である。レンズ室平面部１ｄは、円環の径方向内側の端部がレンズＬ１と当接するための当接部１ｅを形成している。このため、当接部１ｅ（第１の当接部）は、光軸Ｏを中心とした円周上に設けられている。レンズＬ１は、この当接部１ｅに当接することにより、光軸方向内側への移動が規制されている。
レンズ室１は、その内周の光軸方向外側の最先端部から、外周の最先端部に向けて光軸Ｏに対して垂直な環状のレンズ室平面部１ｆ（判定指示部）が延設されている。
【００１３】
レンズ室１は、ネジ部１ａとレンズ収容部１ｂとの間に、段部１ｇが設けられている。段部１ｇは、後述する押さえ環２のネジ部２ａと干渉しないように、レンズ室１の内周に設けられた段部である。段部１ｇは、内壁部１ｈと環状平面部１ｉとを有している。内壁部１ｈは、ネジ部１ａより光軸方向内側のレンズ室１の内周部分である。内壁部１ｈは、その径がネジ部２ａ外径よりも大きく設定され、また、光軸Ｏに沿った方向の長さが、ネジ部２ａの移動範囲を満足するように設定されている。環状平面部１ｉは、内壁部１ｈの光軸方向内側の端部から、内壁部１ｃの端部まで延在する、光軸Ｏに対して垂直な環状の平面部である。
【００１４】
押さえ環２（押さえ部材）は、レンズＬ１をレンズ室１に固定する円環状の部材である。押さえ環２は、レンズ室１のネジ部１ａと螺合するために、その外周の全周に雄ネジであるネジ部２ａが設けられている。
押さえ環２は、その内周の光軸方向内側の先端部に、レンズＬ１と当接するための当接部２ｂ（第２の当接部）が設けられている。当接部２ｂは、光軸Ｏを中心とした径（光軸との距離）が、レンズ室１の当接部１ｅよりも小さく設定されている。
押さえ環２は、レンズＬ１を、当接部２ｂとレンズ室１の当接部１ｅとの間に配置した状態で、レンズ室１にねじ込まれる。押さえ環２は、レンズ室１とネジ結合しているので、光軸Ｏを中心として回転されることにより、光軸方向内側に向かって移動する。そして、押さえ環２は、当接部２ｂがレンズ面Ｌ１ａと当接し、当接部１ｅがレンズ面Ｌ１ｂに当接することによって、レンズ室１に対して光軸Ｏに沿った方向の正規収容位置に規制され、また、レンズＬ１をレンズ室１に固定する。レンズＬ１は、レンズ室１と押さえ環２がネジ結合しているので、レンズ室１に確実に保持される。
また、押さえ環２は、光軸方向外側の端面が、光軸Ｏに対して垂直な押さえ環平面部２ｃ（判定指示部）を形成している。押さえ環平面部２ｃは、内径を当接部２ｂの径とし、外径をネジ部２ａの径とした円環状をしている。
【００１５】
レンズＬ１が押さえ環２によってレンズ室１に固定された状態で、当接部１ｅと当接部２ｂとの、光軸に沿った方向の距離は、長さＤ１になるように設定され、このとき、押さえ環平面部２ｃは、レンズ室平面部１ｆよりも光軸方向外側に長さＤ２突出している。
【００１６】
図２は、実施例１のレンズ鏡筒の光軸断面を示す図であって、レンズＬ１を誤った方向に、つまり、レンズ面Ｌ１ａがレンズ室１の内側を向くように収容した誤収容状態を示す図である。
誤収容状態において、押さえ環２は、その当接部２ｂがレンズ面Ｌ１ｂと当接し、レンズ室１の当接部１ｅがレンズ面Ｌ１ａと当接することにより、レンズ室１に対して光軸Ｏに沿った方向の誤収容位置に規制され、レンズＬ１をレンズ室１に固定する。このとき、当接部１ｅと当接部２ｂとの、光軸Ｏに沿った方向の距離は、長さＤ３になるように設定され、押さえ環平面部２ｃは、レンズ室平面部１ｆよりも光軸方向内側に入り込んでいる
なお、参考のため、正規収容状態（図１の状態）におけるレンズ室平面部１ｆの位置を、図２に２点鎖線で示す。
【００１７】
以上説明したように、実施例１のレンズ鏡筒は、レンズ室１の当接部１ｅ（第１の当接部）と光軸Ｏとの距離と、押さえ環２（押さえ部材）の当接部２ｂ（第２の当接部）と光軸Ｏとの距離が異なっている。押さえ環２は、レンズＬ１のレンズ面Ｌ１ｂ（第１のレンズ面）をレンズ室１の内側に向けた状態（図１の状態）で正規収容位置に、また、レンズ面Ｌ１ａ（第２のレンズ面）をレンズ室１の内側に向けた誤収容状態（図２の状態）で、誤収容位置に、それぞれレンズ室１にネジ結合される。また、レンズＬ１のレンズ面Ｌ１ｂ，Ｌ２ｂの曲率が異なっているため、この２つの収容位置は、光軸Ｏに沿った方向の位置が異なり、これらの位置によりレンズＬ１の向きを判別することができる。
【００１８】
さらに、実施例１のレンズ鏡筒は、光軸Ｏに対して垂直なレンズ室平面部１ｆ（判定指示部）と押さえ環平面部２ｃ（判定指示部）をそれぞれ有し、押さえ環２の光軸Ｏに沿った方向の正規収容位置又は誤収容位置を示している。すなわち、正規収容状態（図１の状態）では、押さえ環平面部２ｃがレンズ室平面部１ｆよりも光軸方向外側に突出し、また、誤収容状態（図２の状態）では、押さえ環平面部２ｃがレンズ室平面部１ｆよりも光軸方向内側に入り込んでいる。このため、レンズ室平面部１ｆに対する押さえ環平面部２ｃの位置を視認することにより、迅速にレンズＬ１の向きを判断することができる。また、レンズ鏡筒組み込み時において、所望の光学特性が得られないときに、レンズの向きがその原因か否かを容易に特定し、歩留まり改善や品質向上を図ることができる。
【実施例２】
【００１９】
次に本発明を適用したレンズ鏡筒の実施例２について説明する。
実施例２のレンズ鏡筒は、実施例１の押さえ環２に後述する環状リブ２ｄを追加したレンズ鏡筒である。なお、以下の説明において、前述した実施例１と同様の機能を果たす部分には、同一の符号を付して、重複する説明を適宜省略する。
図３は、実施例２のレンズ鏡筒の光軸断面を示す図であって、正規収容状態を示す図である。
押さえ環２は、光軸方向内側の端面から、光軸方向内側に植立する環状リブ２ｄが設けられている。環状リブ２ｄは、光軸Ｏを中心とした円環状をしており、その円環の内径が、レンズＬ１と干渉しないように、レンズＬ１の外径より大きく設定され、また、その円環の外径がレンズ室１に干渉しないように、ネジ部１ａの内径より小さく設定されている。また、環状リブ２ｄのリブ先端部２ｅは、レンズ室１の環状平面部１ｉとの光軸Ｏに沿った方向の隙間が、長さＤ１１になるように設定されている。
レンズＬ１が、押さえ環２によってレンズ室１に固定された状態において、当接部２ｂと当接部１ｅとの、光軸Ｏに沿った方向の距離は、実施例１のレンズ鏡筒と同様に、長さＤ１である（図１参照）。
【００２０】
図４は、実施例２のレンズ鏡筒の光軸断面を示す図であって、誤収容状態を示す図である。
図４に示すように、押さえ環２をレンズ室１にねじ込むとき、レンズ室１の当接部１ｅと押さえ環２の当接部２ｂが、レンズＬ１に当接する前に、レンズ室１の環状平面部１ｉと押さえ環２のリブ先端部２ｅ（判定当接部）が当接している。これにより、押さえ環２は、レンズ室１に対して光軸Ｏに沿った方向の誤収容位置に規制される。このとき、環状リブ２ｄの光軸Ｏに沿った方向の長さＤ１２と、内壁部１ｃの光軸Ｏに沿った方向の長さＤ１３とを足した長さＤ１４は、環状リブ２ｄがないときの当接部１ｅと当接部２ｂとの長さＤ３（図２参照）よりも、長くなるように設定されている。また、当接部１ｅ又は当接部２ｂは、レンズＬ１との隙間を有しており、レンズＬ１がレンズ室１に固定されないので、レンズＬ１を誤った向きに挿入したことを判別することができる。なお、図４は、レンズＬ１をレンズ室１の内側に寄せ、当接部１ｅとレンズＬ１との隙間がない状態を図示している。
【００２１】
以上説明したように、実施例２のレンズ鏡筒は、正規収容状態（図３の状態）において、リブ先端部２ｅ（判定当接部）とレンズ室１の環状平面部１ｉとが、隙間Ｄ１１を有し、押さえ環２がレンズＬ１をレンズ室１に固定できるように設定されている。一方、誤収容状態（図４の状態）で、リブ先端部２ｅがレンズ室１の環状平面部１ｉと当接し、レンズ室１に対して光軸Ｏに沿った方向の誤収容位置に規制され、当接部１ｅ（第１の当接部）又は当接部２ｂ（第２の当接部）は、レンズＬ１との隙間を有し、レンズＬ１をレンズ室１に固定することができない。これにより、レンズ鏡筒組み立て時において、レンズＬ１が正しい方向に配置されているか否か容易に確認することができる。
【００２２】
（変形例）
以上説明した実施例に限定されることなく、種々の変形や変更が可能であって、それらも本発明の均等の範囲内である。
（１）実施例１において、誤収容状態で、レンズ面Ｌ１ｂと当接するのは当接部２ｂである例を示したが、これに限定されない。例えば、図５（ａ）に一部断面を示すレンズ鏡筒のように、押さえ環２の光軸方向内側の端面にリブ１０１（判定当接部）を設けてもよい。これにより、レンズＬ１をそのレンズ面Ｌ１ａをレンズ室１の内側に向けて組み込んだときに、リブ１０１がレンズ面Ｌ１ｂと当接することにより、押さえ環２が異なった位置に規制され、レンズの向きを確認することができる。
また、図５（ｂ）のように、レンズ室１のレンズ室平面部１ｄに段部１０２を設けてもよい。これによっても、レンズＬ１をそのレンズ面Ｌ１ｂをレンズ室１の内側に向けて挿入したときに、段部１０２がレンズ面Ｌ１ｂと当接することにより、押さえ環２が異なった位置に規制され、レンズＬ１の向きを確認することができる。
【００２３】
（２）実施例２において、押さえ環２に設けられたリブ先端部２ｅ（判定当接部）が、レンズ室１の環状平面部１ｉと当接する例を示したが、これに限定されず、誤収容状態において、押さえ環２を誤収納位置に規制する構造であればよい。例えば、レンズ室の環状平面部１ｉから光軸外側に向けてリブを設けて、押さえ環２と当接させてもよい。
【００２４】
（３）実施例２において、押さえ環２の端面に環状リブ２ｄが設けられた例を示したが、これに限定されず、押さえ環２が、図４の位置にあるときに、レンズ室１の環状平面部１ｉに接触部を有する形状であればよい。例えば、押さえ環２の端面から、光軸Ｏを中心とした円周上に一定角度の範囲に、リブを設けてもよい。また、ボスを数箇所設けてもよい。
【００２５】
（４）実施例１において、押さえ環平面部２ｃがレンズ室平面部１ｆよりも突出しているか、入り込んでいるかを視認して、レンズＬ１の向きを判断したが、これに限定されず、押さえ環平面部２ｃのレンズ室平面部１ｆに対する位置を測定器で測定し、その測定値の違いから判断してもよい。また、レンズ室１又は押さえ環２に、押さえ環２の位置を示す目盛り等の指標を設けてもよい。これにより、押さえ環２の位置をより明確に把握することができる。
【００２６】
（５）各実施例において、レンズ室１の当接部１ｅの径は、押さえ環２の当接部２ｂの径よりも大きい例を示したが、これに限定されず、当接部１ｅの径は、当接部２ｂの径よりも小さくてもよい。この場合にも、押さえ環２の収容位置を確認することにより、レンズＬ１の向きを確認することができる。
【図面の簡単な説明】
【００２７】
【図１】実施例１のレンズ鏡筒においてレンズが正しい方向に組まれた状態を示す縦断面図である。
【図２】実施例１のレンズ鏡筒においてレンズが誤った方向に組まれた状態を示す縦断面図である。
【図３】実施例２のレンズ鏡筒においてレンズが正しい方向に組まれた状態を示す縦断面図である。
【図４】実施例２のレンズ鏡筒においてレンズが誤った方向に組まれた状態を示す縦断面図である。
【図５】本実施例におけるレンズ鏡筒の変形例の一部断面図である。
【符号の説明】
【００２８】
１    レンズ室
１ａ    ネジ部
１ｂ    レンズ収容部
１ｃ    内壁部
１ｄ    レンズ室平面部
１ｅ    当接部
１ｆ    レンズ室平面部
１ｇ    段部
１ｈ    内壁部
１ｉ    環状平面部
２    押さえ環
２ａ    ネジ部
２ｂ    当接部
２ｃ    押さえ環平面部
２ｄ    リブ
２ｅ    リブ先端部
３    押さえ環
Ｌ１    レンズ
Ｌ１ａ，Ｌ１ｂ    レンズ面
Ｌ２    レンズ
Ｏ    光軸
Ｄ１，Ｄ２，Ｄ３，Ｄ４，Ｄ１１，Ｄ１２，Ｄ１３，Ｄ１４    長さ
１０１    リブ
１０２    段部
【図１】
2006227471.tif 000003
【図２】
2006227471.tif 000004
【図３】
2006227471.tif 000005
【図４】
2006227471.tif 000006
【図５】
2006227471.tif 000007